(57)【要約】      （修正有）【課題】飲料入りのカップのカップホルダーを強化，安定したジョッキ型とするジョッキ型カップホルダーを提供する。【解決手段】ジョッキ型のカップホルダー１の組立て用として裁断した展開紙片に三角柱形の取手３を組付ける取手用紙片を延設して、２点止め接着にて、ジョッキ型のカップホルダーに組立て、三角柱形の取手を中間の内当て片８ａ，８ｂの内当てと、上面の強化片９ａ，９ｂの重ね合わせ止めにて保形，強化するようにしている。【選択図】図３
0003219626.tif 000002
【実用新案登録請求の範囲】
【請求項１】
カップを挿し嵌め支持する短円筒形のホルダー本体の組立て用に裁断する展開紙片と、該展開紙片の一側端に縦折線を挟んで三角柱形の取手を折立て形成する取手用紙片を延設し、該取手用紙片の縦折線を挟んだ両側面の中間に切込みにより指掛け孔と補強用の内当て片とおよび上面に三角柱形の取手を保形し強化する重ね止め用の強化片を設け、且つ組立てつつあるホルダー本体と三角柱形の取手をホルダー本体の両側の内外２箇所にて接着してジョッキ型のカップホルダーを組立て形成するようにしたことを特徴とするジョッキ型をした組立てカップホルダー。
【考案の詳細な説明】
【技術分野】
【０００１】
この考案はジョッキ型をした組立てカップホルダーに関するものである。
【背景技術】
【０００２】
この種のカップホルダーとしては登録実用新案第３２１６０１４号公報がある。この公報は本体の両端に把持片を設けており、把持片の内側には、取手線と、差し込み線、連続部が略丸角四角形状に設けられている。また、把持片の内側に、取手線および差し込み線、連続部によって差し込み片が構成されている。展開状態における本体を円環状態に曲げると共に、把持片を円環状態である本体に対して外側に折り、差し込み片を円環状態である本体に対して内側に折る。次に、差し込み線を互いに嵌め合い、一方の連続部と、他方の連続部を係止させ、把持片を互いの面が重なるように接し、把持部ｃが形成される。ということを記載している。
【先行技術文献】
【特許文献】
【０００３】
【特許文献１】実用新案登録第３２１６０１４号公報
【考案の概要】
【考案が解決しようとする課題】
【０００４】
しかしながら、上記の公報は取手が薄板状のため、取手に設ける指掛け孔の孔壁も薄く、従って持ち手の指が線状に当たるために痛くなるなどの課題があり、またホルダー本体に１箇所止めのため泥弱であって、挿し嵌める飲料入りコップの容量，重量を多く重くすることができないという課題がある。
【課題を解決するための手段】
【０００５】
本考案はカップホルダーの取手を縦折線を挟んで三角柱形にして、指掛け孔を三角柱形の両面に設けて持ちやすくして且つこの取手をカップ本体に２点止め接着することでカップホルダーを著しく強化するとともに安定するようにして、挿し嵌めカップの重量負担の能力を増大して、上記の各課題を解決したのである。
【考案の効果】
【０００６】
本考案は、取手を三角柱形としたことでカップホルダーをジョッキを思わすジョッキ型とするという効果を生ずる。
【０００７】
またホルダー本体と取手をホルダー本体の両側面の内外２点にて接着し組み立てるようにしたので著しく強化され、且つ安定性を増して飲料入りカップの挿し嵌め支持能力を増大するという効果を生ずる。
【０００８】
飲料入りカップを挿し嵌め支持したホルダーを卓上に置くときは、三角柱形の取手も卓面に接面することで安定して置くことができて、倒れたり、飲料のこぼれ出しなどを防止するという効果を生ずる。
【０００９】
三角柱形の取手は中間の内当て片の内当てと上面の強化片の重ね止めにて保形，補強されて形崩れしないという効果を生ずる。
【００１０】
また三角柱形の取手は縦折線を挟んだ両面に指掛け孔を設けたので持ちやすくして、すべり落とすおそれがないという効果を生ずる。
【００１１】
内当て片は指掛け孔の孔壁を厚くして持ち手の指を傷めないという効果を生ずる。
【図面の簡単な説明】
【００１２】
【図１】展開紙片の１実施例を示す平面図
【図２】（ａ）乃至（c）は折畳み接着の工程順を示す平面図
【図３】（ａ）はジョッキ型カップホルダーを組立てつつある状態を示す斜視図、（ｂ）は完成形を示す斜視図
【図４】飲料入りカップを挿し嵌めた状態で卓上に置いたとき側面図
【図５】展開紙片の第２実施例を示す平面図
【考案を実施するための形態】
【００１３】
本考案はジョッキ型のカップホルダーの組立て用として裁断した展開紙片に三角柱形の取手を組付ける取手用紙片を延設して、２点止め接着にて、ジョッキ型のカップホルダーに組立て、三角柱形の取手を中間の内当て片の内当てと、上面の強化片の重ね合わせ止めにて保形，強化するようにしてジョッキ型のカップホルダーを構成する。
【実施例１】
【００１４】
図１乃至図４は本考案の第１実施例であって、短円筒形のカップホルダー１を組立てることができるように図１に示す形状に裁断した展開紙片２の一側端に縦折線３ａを挟んで三角柱形の取手３を折立てる取手用紙片４を延設する。４ａ，４ｂは三角柱形の取手３の縦折線３ａを挟んだ両側の側面であり、２ａは展開紙片２に設けた飾り曲面である。
【００１５】
なお展開紙片２は仮線５ａ，５ｂ間をカップホルダー１の半円分、仮線５ａ，５ｂの外側をそれぞれ４分の１、仮線５ｃを取手３との間の境界線にしている。
【００１６】
取手用紙片４は縦折線３ａを挟んだ側面４ａ，４ｂに内折線６ａ，６ｂを余して切込んで指掛け孔７ａ，７ｂと補強用の内当て片８ａ，８ｂを形成し、また上面に組立てた三角柱形の取手３を保形，補強する強化片９ａ，９ｂを延長形成する。１０ａは強化片９ａの挿し止め突起、１０ｂは同、挿し止め穴であり、１１ａ，１１ｂは両端の糊代で、取手用紙片４端の糊代１１ａは内面に設け、他方の糊代１１ｂは展開紙片２の外面に設けている。
【００１７】
カップホルダー１の組立ては、展開紙片２の非取手側端を以って内折りして糊代１１ｂを取手３との間の境界線５ｃに当てて接着してホルダー本体１ａに組立て、取手用紙片４は縦折線３ａにて折って糊代１１ａを組立てたホルダー本体１ａの外面に当てて接着するのである。接着部位は糊代１１ｂに相対する。
【００１８】
本考案のカップホルダー１を使用するときはホルダー本体１ａを折畳まれた状態から拡げ、連動して拡がった三角柱形の取手３は中間の内当て片８ａ，８ｂを両面に内当て、上面の強化片９ａ，９ｂを折重ね、挿し止め突起１０ａを挿し止め穴１０ｂに挿して止めて補強する。なお、折重ね強化片９ａ，９ｂの内端はホルダー本体１ａに接面することとなる。
【００１９】
このようにして展開し組立てられたカップホルダー１は上広下狭の短円筒形のホルダー本体１ａと三角柱形の取手３のつながりにて、ジョッキを思わすジョッキ型を構成して、飲料を入れたカップＣを嵌め支えて使用することとなる。
【００２０】
ホルダー本体１ａは三角柱形の取手３を有すことと、対称した両側面の２箇所にて糊付け固定することによって著しく強化されて、飲料を多くして重量が増えても充分に支え続けるものとなる。また卓Т上に置くとカップホルダー１は三角柱形の取手を伴って卓Т上に接面することとなるので安定して倒れたりすることがなく、カップＣを支え続けるものとなる。
【００２１】
なお、三角柱形の取手３は指掛け孔７ａ，７ｂ間に内当て片８ａ，８ｂを有すことで指掛け孔壁が厚くなって指掛かりを良好にして持ち易く、すべり落とすこともなくなることになる。
本考案のカップホルダーは以上のようにしてジョッキ型のホルダーとして使用時に簡単に組立てることができる。
【００２２】
しかして、本考案のジョッキ型カップホルダーは、一般の紙コップ，プラスチックカップＣ等を挿し嵌めて使用すると、斬新な形状によって楽しさを倍加演出し、またイベント（ライブ、フェスｅｔｃ）等ではオリジナルの印刷をすることでオリジナリティを出すことができることとなる。
【実施例２】
【００２３】
図５は展開紙片２の両側に延長部１２ａ，１２ｂを設けた第２実施例を示すもので、延長部１２ａ，１２ｂの端辺がガイドの役目を果たして裁断から折曲げ・糊付けまでを一貫した機械（図示してない）で行えるようにして、量産を可能とすることができることとなる。そのほかの構成と作用は第１実施例と同じである。
【００２４】
以上の実施例は紙製にて説明してきたが、板紙，プラスチック，ＰＥＴ，ＰＰなどの裁断・折曲げ・糊付けが可能な材料に置き換えることができる。
【産業上の利用可能性】
【００２５】
本考案は飲料入りカップを挿し嵌めする組立形のホルダー本体に三角柱形の取手を組付けするジョッキ型カップホルダーとして広く利用されるものである。
【符号の説明】
【００２６】
１はカップホルダー
２は展開紙片
２ａは飾り曲面
３は縦折線
４ａ，４ｂは取手の縦折線を挟んだ両側の側面
５ａ，５ｂは仮線
５ｃは境界線
６ａ，６ｂは内折線
７ａ，７ｂは指掛け孔
８ａ，８ｂは内当て片
９ａ，９ｂは強化片
１０ａは強化片の挿し止め突起
１０ｂは強化片の挿し止め穴
１１ａ，１１ｂは糊代
１２ａ，１２ｂは延長部
Ｃはカップ
Тは卓
【図１】
0003219626.tif 000003
【図２】
0003219626.tif 000004
【図３】
0003219626.tif 000005
【図４】
0003219626.tif 000006
【図５】
0003219626.tif 000007